(57)【要約】      （修正有）【課題】収納ポケットの上下両端のサイズがファイルの上下両端に一致または接近するクリヤーファイルの収納ポケットを提供する。【解決手段】フック型ファイルのフック部材に設置されたクリヤーファイルの収納ポケット２０であって、収容空間２１１を有するポケット２１と、前記ポケット２１の上側縁に設けられ、収容空間２１１に連通する開口２２と、ポケット２１の下側縁に設けられ、収容空間２１１に連通する切り込みと、ポケット２１内側縁の一端に設置された少なくとも一つの切り角とを含む。フック部材のフック部は、切り角を介してポケット内に伸び入れ、収納ポケット２０をフック型ファイルにかけることができる。また、ポケット２１の上下両側縁がフック部材に当接されないようにフック部材の外に位置されるため、ポケット２１の上下両側の長さのサイズは、フック部材の位置に制限されることはない。フック型ファイルの長さと一致または接近するようにすることができる。【選択図】図５
0003148453.tif 000002
【実用新案登録請求の範囲】
【請求項１】
フック型ファイルのフック部材に設置されたクリヤーファイルの収納ポケットであって、
収容空間を有するポケットと、
前記ポケットの上側縁に設けられ、前記収容空間に連通する開口と、
前記ポケットの下側縁に設けられ、前記収容空間に連通する切り込みと、
前記ポケット内側縁の一端に設置された少なくとも一つの切り角と、
を含むクリヤーファイルの収納ポケット。
【請求項２】
前記切り角は、矩形、三角形、セクタ形状の何れかであることを特徴とする請求項１記載のクリヤーファイルの収納ポケット。
【請求項３】
前記ポケットの外側縁にもう一つの開口が設けられ、この開口は前記収容空間に連通されることを特徴とする請求項１記載のクリヤーファイルの収納ポケット。
【請求項４】
前記ポケットの上側縁の開口は、外側縁の開口に連通されることを特徴とする請求項３記載のクリヤーファイルの収納ポケット。
【請求項５】
前記切り込みは、下端の前記切り角に連通されることを特徴とする請求項１記載のクリヤーファイルの収納ポケット。
【考案の詳細な説明】
【技術分野】
【０００１】
本考案は、クリヤーファイルの収納ポケットであり、特に、切り角（隅取り、隅切）を有する収納ポケットに関るものである。
【背景技術】
【０００２】
一般人は、ファイルまたは新聞や雑誌を収納する際に、クリヤーファイルで収納を補助し、ファイルまたは雑誌を分類して収納することがしばしばある。
【０００３】
図１に示すように、従来のフック型のファイル１０は、本体板１１を含み、本体板１１の左右両側に側板１２がそれぞれ接続され、側板１２が本体板１１の側縁に揺動できる。本体板１１の上下両端に固定部材１３がそれぞれ固着され、固定部材１３上に複数のフック部材１４を備えている。フック部材１４は、固定部材１３中に設置されたベース１４１を有し、該ベース１４１の上端から前に向いて接続部１４２が延び出され、そして、該接続部１４２の末端から本体板１１内へフック部１４３が延び出され、フック部１４３と固定部材１３との間に隙間が形成されている。
【０００４】
図２に示すように、ユーザは雑誌１５を開いてから、雑誌１５の内頁の上下両側をフック部１４３と固定部材１３との隙間にそれぞれ嵌め込む。フック部１４３は、雑誌１５を本体板１１から離脱しないように雑誌１５の内頁に当接するので、雑誌１５をフック型のファイル１０の本体板１１にかけることができる。
【０００５】
図３及び図３Ａに示すように、該フック型のファイル１０は、ファイルやペーパーを収納することもできる。ユーザは、まず、ファイルを収納ポケット１６内に入れる。収納ポケット１６は、外形矩形のポケットであり、上側縁に開口１６１を有し、下側縁の角隅寄りの個所に切り込み１６２がある。開口１６１及び切り込み１６２により、収納ポケット１６の上下両側をフック部１４３と固定部材１３との隙間にそれぞれ嵌め込むことができ、これらのフック部１４３は、収納ポケット１６内に伸び入れ、収納ポケット１６を離脱のないように本体板１１にかけることができる。
【０００６】
しかしながら、収納ポケット１６を一対のフック部材１４の間にかけるために、収納ポケット１６の上下両端のサイズを一対のフック部材１４の接続部１４２の間の距離より小さくしなければならない。そうでなければ、収納ポケット１６の上下両端は接続部１４２に当接してしまい、収納ポケット１６が変形、皺曲げしてしまう。よって、収納ポケット１６の長さをファイル１０の上下両側と一致させることができない。
【０００７】
そのため、本考案者は、上記欠点を改良するため、長年以来この分野で積み立てた経験により、専念な観察かつ研究をし、さらに学術理論の運用に合せ、合理な設計の本考案を提案した。
【考案の開示】
【考案が解決しようとする課題】
【０００８】
本考案は、収納ポケットの上下両端のサイズがファイルの上下両端に一致または接近するクリヤーファイルの収納ポケットを提供することを主な目的とする。
【課題を解決するための手段】
【０００９】
前記目的を達成するため、本考案を、フック型ファイルのフック部材に設置されたクリヤーファイルの収納ポケットであって、収容空間を有するポケットと、前記ポケットの上側縁に設けられ、前記収容空間に連通する開口と、前記ポケットの下側縁に設けられ、前記収容空間に連通する切り込みと、前記ポケット内側縁の一端に設置された少なくとも一つの切り角とを含むものとした。
【００１０】
本考案は、以下の効果を有する。フック部材のフック部は、切り角を介してポケット内に伸び入れ、収納ポケットをフック型ファイルにかけることができる。また、ポケットの上下両側縁がフック部材に当接されないようにフック部材の外に位置されるため、ポケットの上下両側の長さのサイズは、フック部材の位置に制限されることはない。フック型ファイルの長さと一致または接近するようにすることができる。
【００１１】
本考案に係る特徴及び技術内容については、以下に述べる本考案に関る詳しい説明及び添付図面を参照することにより、深く且つ具体的な理解を得られるが、それらの添付図面は参考及び説明のみに使われ、本考案の主張範囲を局限するものではない。
【考案を実施するための最良の形態】
【００１２】
図４、図５及び図５Ａに示すように、本考案に係るクリヤーファイルの収納ポケット２０は、フック型ファイル３０内に設置されるもので、ポケット２１、開口２２及び二つの切り角２３を含む。
【００１３】
ポケット２１の外形は、略矩形の形状であり、内部に収容空間２１１を有する。前記ポケット２１の上側縁及び外側縁に開口２２がそれぞれ開設され、これらの開口２２は該収容空間２１１に連通し、かつ互いに連通されている。ユーザは、ファイルまたはペーパーを開口２２を介して収容空間２１１内に入れることによって、ファイルまたはペーパーをポケット２１内に収納する。ポケットの内側縁のうち少なくとも一端に切り角２３が設けられ、本実施例では、上下両端にともに切り角２３が設けられ、かつ、前記切り角２３の形状は矩形である。上端に位置する切り角２３は開口２２に連通され、下端に位置する切り角２３はポケット２１上に切り込み２３１が形成され、切り込み２３１は収容空間２１１に連通されている。
【００１４】
フック型ファイル３０は、本体板３１を含み、本体板３１の左右両側に側板３２がそれぞれ接続される。側板３２は本体板３１の側縁に揺動でき、側板３２は主にフック型ファイル３０の支持構造の役割を果たす。本体板３１に多くのファイルやペーパーがかけられても屈折変形することはない。
【００１５】
本体板３１の上下両端に固定部材３３がそれぞれ固着され、固定部材３３上に複数のフック部材３４を備えている。フック部材３４は、固定部材３３中に設置されたベース３４１を有し、ベース３４１の上縁から前に向いて接続部３４２が延び出され、そして、接続部３４２の末端から内へフック部３４３が延び出され、フック部３４３が固定部材３３の外へ延び出され、固定部材３３の外縁と隙間を形成している。
【００１６】
図６に示すように、ユーザは、本体板３１の上下両側のフック部３４３を、クリヤーファイルの収納ポケット２０の切り角２３を介してクリヤーファイルの収納ポケット２０の収容空間２１１内に伸び込み、クリヤーファイルの収納ポケット２０を離脱しないように本体板１１にかけることができる。フック部３４３が収容空間２１１内に伸び込むと、ポケット２１の上下両側縁が、接続部３４２及びフック部３４３の外に位置され、ポケット２１の上下両側の間のサイズが接続部３４２の位置に限られることはないため、クリヤーファイルの収納ポケット２０の長さは、一対の接続部３４２の位置の相対距離より大きくすることができる。即ち、クリヤーファイルの収納ポケット２０は、長さがフック型ファイル３０の本体板３１の長さと一致または接近するように作製できる。
【００１７】
図７は本考案の第２実施例である。説明上の便利のため、同等な構造については、第１実施例と同一符号を付する。第１実施例との違う所は、前記切り角２３の形状は三角形である。図８は本考案の第３実施例である。第１及び第２実施例との違う所は、前記切り角２３の形状はセクタ形状である。以上の第２実施例及び第３実施例は、いずれも第１実施例と同じ効果を有するため、繰り返し説明を省略する。
【００１８】
しかし、以上は単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００１９】
【図１】従来のフック型クリヤーファイルを示す斜視図である。
【図２】従来のフック型クリヤーファイルに雑誌をかけることを示す図である。
【図３】従来のフック型クリヤーファイルに収納ポケットをかけることを示す図である。
【図３Ａ】図３のＡ部の拡大図である。
【図４】本考案のクリヤーファイルの収納ポケットを示す平面図である。
【図５】本考案のクリヤーファイルの収納ポケットの使用状態を示す斜視図である。
【図５Ａ】図５のＡ部の拡大図である。
【図６】本考案のクリヤーファイルの収納ポケットの使用状態を示す平面図である。
【図７】本考案のクリヤーファイルの収納ポケットの第２実施例の使用状態を示す平面図である。
【図８】本考案のクリヤーファイルの収納ポケットの第３実施例の使用状態を示す平面図である。
【符号の説明】
【００２０】
１０フック型ファイル
１１本体板
１２側板
１３固定部材
１４フック部材
１４１ベース
１４２接続部
１４３フック部
１５雑誌
１６収納ポケット
１６１開口
１６２切り込み
２０収納ポケット
２１ポケット
２１１収容空間
２２開口
２３切り角
２３１切り込み
３０フック型ファイル
３１本体板
３２側板
３３固定部材
３４フック部材
３４１ベース
３４２接続部
３４３フック部
【図１】
0003148453.tif 000003
【図２】
0003148453.tif 000004
【図３】
0003148453.tif 000005
【図３Ａ】
0003148453.tif 000006
【図４】
0003148453.tif 000007
【図５】
0003148453.tif 000008
【図５Ａ】
0003148453.tif 000009
【図６】
0003148453.tif 000010
【図７】
0003148453.tif 000011
【図８】
0003148453.tif 000012